【手続補正書】
【提出日】平成20年6月12日(2008.6.12)
【手続補正１】
【補正対象書類名】明細書
【補正対象項目名】特許請求の範囲
【補正方法】変更
【補正の内容】
【特許請求の範囲】
【請求項１】  ネットワークを介して少なくとも１つのホストコンピュータに接続されるとともに、印刷装置を備えた印刷制御装置において、
ユーザに対する表示出力及びユーザからの操作入力を行うための入出力手段と、
前記ネットワークに接続された各種機器と通信するための通信手段と、
前記通信手段を介して前記ホストコンピュータから送られた印刷データを受信する受信手段と、
前記受信手段によって受信された印刷データ内に、外部装置から他の印刷データを入手するための参照アドレスが含まれるか否かを判別する第１の判別手段と、
前記第１の判別手段により、前記印刷データ内に前記参照アドレスが含まれると判別されたとき、前記参照アドレスに基づき前記外部装置にアクセスするのに、認証が必要であるか否かを判別する第２の判別手段と、
前記第２の判別手段により、前記アクセスに認証が必要であると判別されたとき、前記入出力手段を介してユーザから認証情報を取得して前記外部装置との間で認証処理を実行する認証実行手段と、
前記認証実行手段によって前記認証処理が終了したあと、前記外部装置から前記他の印刷データを入手する入力手段と、
前記入手手段によって入手された前記他の印刷データと、前記受信手段によって受信された印刷データとに基づき、前記印刷装置に印刷を実行させる印刷実行手段とを有することを特徴とする印刷制御装置。
【請求項２】 前記第２の判別手段により、前記アクセスに認証が必要であると判別されたとき、前記入出力手段に、認証情報を入力することをユーザに促すメッセージを表示させる表示制御手段を更に有し、
前記認証実行手段は、前記メッセージが表示された後、ユーザが前記入出力手段に認証情報を入力したとき、該認証情報を取得して前記外部装置へ送信して認証処理を実行することを特徴とする請求項１記載の印刷制御装置。
【請求項３】 前記第２の判別手段により、前記アクセスに認証が必要であると判別されたとき、前記印刷データを送信したホストコンピュータに、認証情報を入力することを促すメッセージを送信する送信手段を更に有することを特徴とする請求項１又は２記載の印刷制御装置。
【請求項４】 前記第２の判別手段により、前記アクセスに認証が必要であると判別されたとき、前記印刷データを送信してきたホストコンピュータに、認証情報を入力することを促すメッセージを送信する送信手段と、
前記メッセージを受信したホストコンピュータを操作するユーザが、前記印刷制御装置の前記入出力手段に認証情報を入力したとき、該認証情報を取得して前記外部装置へ送信して認証処理を実行する送信実行手段とを含むことを特徴とする請求項１記載の印刷制御装置。
【請求項５】  前記認証実行手段によって前記認証処理が実行された結果、前記外部装置から認証されなかった場合、前記入出力手段に、認証情報の再入力を促すメッセージを表示させる第１の表示制御手段と、
前記認証情報の再入力を所定回数行っても前記外部装置から認証されない場合に、前記印刷装置に印刷を実行させないようにする印刷禁止手段とを更に有することを特徴とする請求項１乃至４のいずれか１項に記載の印刷制御装置。
【請求項６】  前記所定回数は、ユーザによって任意に設定できることを特徴とする請求項５記載の印刷制御装置。
【請求項７】  前記認証情報の再入力を所定回数行っても前記外部装置から認証されない場合に、前記入出力手段に、前記外部装置にアクセスできない旨のメッセージを表示させる第２の表示制御手段を更に有することを特徴とする請求項５又は６記載の印刷制御装置。
【請求項８】  前記認証情報の再入力を所定回数行っても前記外部装置から認証されない場合に、前記受信手段によって受信された印刷データに基づき前記印刷装置に印刷を実行させる第１の方法と、前記印刷装置に印刷を実行させない第２の方法と、前記受信手段によって受信された印刷データ内に含まれる参照アドレスの位置にエラーメッセージを記載した印刷データに基づき前記印刷装置に印刷を実行させる第３の方法とからなる３つの選択肢を前記入出力手段に表示させる第３の表示制御手段と、
前記３つの選択肢のうちユーザが選択した方法に従い、前記印刷装置に印刷を実行させる実行手段とを更に有することを特徴とする請求項５乃至７のいずれか１項に記載の印刷制御装置。
【請求項９】  ネットワークを介して互いに接続され、記憶装置を備えたホストコンピュータと、印刷装置及び入出力装置を備えた印刷制御装置とからなる印刷システムにおいて、
前記ホストコンピュータに設けられ、印刷データ内に、アクセスするのに認証が必要な外部装置から入手したデータが含まれるとき、前記印刷データに認証情報を付加して前記印刷制御装置に送信する付加送信手段と、
前記印刷制御装置に設けられ、前記ホストコンピュータから送信された印刷データに前記認証情報が付加されているか否かを判別する第１の判別手段と、
前記印刷制御装置に設けられ、前記第１の判別手段によって、前記印刷データに前記認証情報が付加されていると判別されたとき、認証情報を入力するようにユーザに促すメッセージを前記入出力装置に出力表示させる表示制御手段と、
前記印刷制御装置に設けられ、前記メッセージに従い、前記入出力装置を介してユーザから操作入力された認証情報に基づき認証処理を行う認証手段と、
前記印刷制御装置に設けられ、前記認証手段によって認証が完了したとき、前記印刷装置に前記印刷データに基づく印刷を実行させる印刷実行手段とを有することを特徴とする印刷システム。
【請求項１０】  前記付加送信手段は、前記印刷データに、該印刷データに基づく印刷を行ってよいユーザと、該ユーザの属するグループとを特定する認証情報を付加して前記印刷制御装置に送信し、
前記認証手段は、前記メッセージに従い、前記入出力装置を介してユーザから操作入力された、ユーザ及び該ユーザの属するグループを特定する認証情報に基づき認証処理を行うことを特徴とする請求項９記載の印刷システム。
【請求項１１】  前記ネットワークに複数の印刷装置が接続され、
前記ホストコンピュータに設けられ、前記複数の印刷装置のうち印刷を実行すべき印刷装置を指定されたとき、該指定された印刷装置に親展印刷を行うことが可能か否かを問い合わせる問い合せ手段と、
前記ホストコンピュータに設けられ、前記問い合せ手段による問い合わせに対して、前記指定された印刷装置から親展印刷を行うことが可能と返信があったとき、前記付加送信手段を作動させる作動制御手段とを更に有することを特徴とする請求項９記載の印刷システム。
【請求項１２】  前記ネットワークに複数の印刷装置が接続され、
前記印刷制御装置に設けられ、前記複数の印刷装置のうち印刷を実行すべき印刷装置として指定されたとき、自装置が親展印刷を行うことが可能であるならば、親展印刷を行うことが可能である旨を前記ホストコンピュータに通知する通知手段と、
前記ホストコンピュータに設けられ、前記通知手段によって、前記指定された印刷装置から親展印刷を行うことが可能と通知があったとき、前記付加送信手段を作動させる作動制御手段とを更に有することを特徴とする請求項９記載の印刷システム。
【請求項１３】  前記ネットワークに複数の印刷装置が接続され、
前記ホストコンピュータに設けられ、前記複数の印刷装置のうち親展印刷が可能な印刷装置のリストを保持する保持手段と、
前記ホストコンピュータに設けられ、前記複数の印刷装置のうち印刷を実行すべき印刷装置を指定されたとき、前記保持手段に保持されたリストを参照して、前記指定された印刷装置が親展印刷可能な印刷装置であるか否かを判別する第２の判別手段と、
前記ホストコンピュータに設けられ、前記第２の判別手段によって、前記指定された印刷装置が親展印刷可能な印刷装置であると判別されたとき、前記付加送信手段を作動させる作動制御手段とを更に有することを特徴とする請求項９記載の印刷システム。
【請求項１４】  ネットワークを介して少なくとも１つのホストコンピュータに接続されるとともに、印刷装置と、ユーザに対する表示出力及びユーザからの操作入力を行うための入出力手段と、前記ネットワークに接続された各種機器と通信するための通信手段とを備えた印刷制御装置に適用される印刷制御方法において、
前記通信手段を介して前記ホストコンピュータから送られた印刷データを受信する受信ステップと、
前記受信ステップによって受信された印刷データ内に、外部装置から他の印刷データを入手するための参照アドレスが含まれるか否かを判別する第１の判別ステップと、
前記第１の判別ステップにより、前記印刷データ内に前記参照アドレスが含まれると判別されたとき、前記参照アドレスに基づき前記外部装置にアクセスするのに、認証が必要であるか否かを判別する第２の判別ステップと、
前記第２の判別ステップにより、前記アクセスに認証が必要であると判別されたとき、前記入出力手段を介してユーザから認証情報を取得して前記外部装置との間で認証処理を実行する認証実行ステップと、
前記認証実行ステップによって前記認証処理が終了したあと、前記外部装置から前記他の印刷データを入手する入力ステップと、
前記入手ステップによって入手された前記他の印刷データと、前記受信ステップによって受信された印刷データとに基づき、前記印刷装置に印刷を実行させる印刷実行ステップと
を有することを特徴とする印刷制御方法。
【請求項１５】 前記第２の判別ステップにより、前記アクセスに認証が必要であると判別されたとき、前記入出力手段に、認証情報を入力することをユーザに促すメッセージを表示させる表示制御ステップを更に有し、
前記認証実行ステップは、前記メッセージが表示された後、ユーザが前記入出力手段に認証情報を入力したとき、該認証情報を取得して前記外部装置へ送信して認証処理を実行することを特徴とする請求項１４記載の印刷制御方法。
【請求項１６】 前記第２の判別ステップにより、前記アクセスに認証が必要であると判別されたとき、前記印刷データを送信したホストコンピュータに、認証情報を入力することを促すメッセージを送信する送信ステップを更に有することを特徴とする請求項１４又は１５記載の印刷制御方法。
【請求項１７】 前記第２の判別ステップにより、前記アクセスに認証が必要であると判別されたとき、前記印刷データを送信してきたホストコンピュータに、認証情報を入力することを促すメッセージを送信する送信ステップと、
前記メッセージを受信したホストコンピュータを操作するユーザが、前記印刷制御装置の前記入出力手段に認証情報を入力したとき、該認証情報を取得して前記外部装置へ送信して認証処理を実行する送信実行ステップと
を含むことを特徴とする請求項１４記載の印刷制御方法。
【請求項１８】  前記認証実行ステップによって前記認証処理が実行された結果、前記外部装置から認証されなかった場合、前記入出力手段に、認証情報の再入力を促すメッセージを表示させる第１の表示制御ステップと、
前記認証情報の再入力を所定回数行っても前記外部装置から認証されない場合に、前記印刷装置に印刷を実行させないようにする印刷禁止ステップと
を更に有することを特徴とする請求項１４乃至１７のいずれか１項に記載の印刷制御方法。
【請求項１９】  前記所定回数は、ユーザによって任意に設定できることを特徴とする請求項１８記載の印刷制御装置。
【請求項２０】  前記認証情報の再入力を所定回数行っても前記外部装置から認証されない場合に、前記入出力手段に、前記外部装置にアクセスできない旨のメッセージを表示させる第２の表示制御ステップ
を更に有することを特徴とする請求項１８又は１９記載の印刷制御方法。
【請求項２１】  前記認証情報の再入力を所定回数行っても前記外部装置から認証されない場合に、前記受信ステップによって受信された印刷データに基づき前記印刷装置に印刷を実行させる第１の方法と、前記印刷装置に印刷を実行させない第２の方法と、前記受信ステップによって受信された印刷データ内に含まれる参照アドレスの位置にエラーメッセージを記載した印刷データに基づき前記印刷装置に印刷を実行させる第３の方法とからなる３つの選択肢を前記入出力手段に表示させる第３の表示制御ステップと、
前記３つの選択肢のうちユーザが選択した方法に従い、前記印刷装置に印刷を実行させる実行ステップと
を更に有することを特徴とする請求項１８乃至２０のいずれか１項に記載の印刷制御方法。
【請求項２２】  ネットワークを介して互いに接続され、記憶装置を備えたホストコンピュータと、印刷装置及び入出力装置を備えた印刷制御装置とからなる印刷システムに適用される印刷制御方法において、
印刷データ内に、アクセスするのに認証が必要な外部装置から入手したデータが含まれるとき、前記印刷データに認証情報を付加して前記印刷制御装置に送信する、前記ホストコンピュータで実行される付加送信ステップと、
前記ホストコンピュータから送信された印刷データに前記認証情報が付加されているか否かを判別する、前記印刷制御装置で実行される第１の判別ステップと、
前記第１の判別ステップによって、前記印刷データに前記認証情報が付加されていると判別されたとき、認証情報を入力するようにユーザに促すメッセージを前記入出力装置に出力表示させる、前記印刷制御装置で実行される表示制御ステップと、
前記メッセージに従い、前記入出力装置を介してユーザから操作入力された認証情報に基づき認証処理を行う、前記印刷制御装置で実行される認証ステップと、
前記認証ステップによって認証が完了したとき、前記印刷装置に前記印刷データに基づく印刷を実行させる、前記印刷制御装置で実行される印刷実行ステップと
を有することを特徴とする印刷制御方法。
【請求項２３】  前記付加送信ステップは、前記印刷データに、該印刷データに基づく印刷を行ってよいユーザと、該ユーザの属するグループとを特定する認証情報を付加して前記印刷制御装置に送信し、
前記認証ステップは、前記メッセージに従い、前記入出力装置を介してユーザから操作入力された、ユーザ及び該ユーザの属するグループを特定する認証情報に基づき認証処理を行う
ことを特徴とする請求項２２記載の印刷制御方法。
【請求項２４】  前記ネットワークに複数の印刷装置が接続され、
前記複数の印刷装置のうち印刷を実行すべき印刷装置を指定されたとき、該指定された印刷装置に親展印刷を行うことが可能か否かを問い合わせる、前記ホストコンピュータで実行される問い合せステップと、
前記問い合せステップによる問い合わせに対して、前記指定された印刷装置から親展印刷を行うことが可能と返信があったとき、前記付加送信ステップを実行させる、前記ホストコンピュータで実行される作動制御ステップと
を更に有することを特徴とする請求項２２記載の印刷制御方法。
【請求項２５】  前記ネットワークに複数の印刷装置が接続され、
前記複数の印刷装置のうち印刷を実行すべき印刷装置として指定されたとき、自装置が親展印刷を行うことが可能であるならば、親展印刷を行うことが可能である旨を前記ホストコンピュータに通知する、前記印刷制御装置で実行される通知ステップと、
前記通知ステップによって、前記指定された印刷装置から親展印刷を行うことが可能と通知があったとき、前記付加送信ステップを実行させる、前記ホストコンピュータで実行される作動制御ステップと
を更に有することを特徴とする請求項２２記載の印刷制御方法。
【請求項２６】  前記ネットワークに複数の印刷装置が接続され、
前記ホストコンピュータが、前記複数の印刷装置のうち親展印刷が可能な印刷装置のリストを保持する保持手段を備え、
前記複数の印刷装置のうち印刷を実行すべき印刷装置を指定されたとき、前記保持手段に保持されたリストを参照して、前記指定された印刷装置が親展印刷可能な印刷装置であるか否かを判別する、前記ホストコンピュータで実行される第２の判別ステップと、
前記第２の判別ステップによって、前記指定された印刷装置が親展印刷可能な印刷装置であると判別されたとき、前記付加送信ステップを実行させる、前記ホストコンピュータで実行される作動制御ステップと
を更に有することを特徴とする請求項２２記載の印刷制御方法。
【請求項２７】  ネットワークを介して少なくとも１つのホストコンピュータに接続されるとともに、印刷装置と、ユーザに対する表示出力及びユーザからの操作入力を行うための入出力手段と、前記ネットワークに接続された各種機器と通信するための通信手段とを備えた印刷制御装置に適用される印刷制御方法を、コンピュータに実行させるためのプログラムにおいて、
前記印刷制御方法が、
前記通信手段を介して前記ホストコンピュータから送られた印刷データを受信する受信ステップと、
前記受信ステップによって受信された印刷データ内に、外部装置から他の印刷データを入手するための参照アドレスが含まれるか否かを判別する第１の判別ステップと、
前記第１の判別ステップにより、前記印刷データ内に前記参照アドレスが含まれると判別されたとき、前記参照アドレスに基づき前記外部装置にアクセスするのに、認証が必要であるか否かを判別する第２の判別ステップと、
前記第２の判別ステップにより、前記アクセスに認証が必要であると判別されたとき、前記入出力手段を介してユーザから認証情報を取得して前記外部装置との間で認証処理を実行する認証実行ステップと、
前記認証実行ステップによって前記認証処理が終了したあと、前記外部装置から前記他の印刷データを入手する入力ステップと、
前記入手ステップによって入手された前記他の印刷データと、前記受信ステップによって受信された印刷データとに基づき、前記印刷装置に印刷を実行させる印刷実行ステップと
を有することを特徴とするプログラム。
【請求項２８】  ネットワークを介して互いに接続され、記憶装置を備えたホストコンピュータと、印刷装置及び入出力装置を備えた印刷制御装置とからなる印刷システムに適用される印刷制御方法を、コンピュータに実行させるためのプログラムにおいて、
前記印刷制御方法が、
印刷データ内に、アクセスするのに認証が必要な外部装置から入手したデータが含まれるとき、前記印刷データに認証情報を付加して前記印刷制御装置に送信する、前記ホストコンピュータで実行される付加送信ステップと、
前記ホストコンピュータから送信された印刷データに前記認証情報が付加されているか否かを判別する、前記印刷制御装置で実行される第１の判別ステップと、
前記第１の判別ステップによって、前記印刷データに前記認証情報が付加されていると判別されたとき、認証情報を入力するようにユーザに促すメッセージを前記入出力装置に出力表示させる、前記印刷制御装置で実行される表示制御ステップと、
前記メッセージに従い、前記入出力装置を介してユーザから操作入力された認証情報に基づき認証処理を行う、前記印刷制御装置で実行される認証ステップと、
前記認証ステップによって認証が完了したとき、前記印刷装置に前記印刷データに基づく印刷を実行させる、前記印刷制御装置で実行される印刷実行ステップと
を有することを特徴とするプログラム。
【請求項２９】  ネットワークを介して少なくとも１つのホストコンピュータに接続されるとともに、印刷装置と、ユーザに対する表示出力及びユーザからの操作入力を行うための入出力手段と、前記ネットワークに接続された各種機器と通信するための通信手段とを備えた印刷制御装置に適用される印刷制御方法をプログラムとして記憶した、コンピュータにより読み出し可能な記憶媒体において、
前記印刷制御方法が、
前記通信手段を介して前記ホストコンピュータから送られた印刷データを受信する受信ステップと、
前記受信ステップによって受信された印刷データ内に、外部装置から他の印刷データを入手するための参照アドレスが含まれるか否かを判別する第１の判別ステップと、
前記第１の判別ステップにより、前記印刷データ内に前記参照アドレスが含まれると判別されたとき、前記参照アドレスに基づき前記外部装置にアクセスするのに、認証が必要であるか否かを判別する第２の判別ステップと、
前記第２の判別ステップにより、前記アクセスに認証が必要であると判別されたとき、前記入出力手段を介してユーザから認証情報を取得して前記外部装置との間で認証処理を実行する認証実行ステップと、
前記認証実行ステップによって前記認証処理が終了したあと、前記外部装置から前記他の印刷データを入手する入力ステップと、
前記入手ステップによって入手された前記他の印刷データと、前記受信ステップによって受信された印刷データとに基づき、前記印刷装置に印刷を実行させる印刷実行ステップと
を有することを特徴とする記憶媒体。
【請求項３０】  ネットワークを介して互いに接続され、記憶装置を備えたホストコンピュータと、印刷装置及び入出力装置を備えた印刷制御装置とからなる印刷システムに適用される印刷制御方法をプログラムとして記憶した、コンピュータにより読み出し可能な記憶媒体において、
前記印刷制御方法が、
印刷データ内に、アクセスするのに認証が必要な外部装置から入手したデータが含まれるとき、前記印刷データに認証情報を付加して前記印刷制御装置に送信する、前記ホストコンピュータで実行される付加送信ステップと、
前記ホストコンピュータから送信された印刷データに前記認証情報が付加されているか否かを判別する、前記印刷制御装置で実行される第１の判別ステップと、
前記第１の判別ステップによって、前記印刷データに前記認証情報が付加されていると判別されたとき、認証情報を入力するようにユーザに促すメッセージを前記入出力装置に出力表示させる、前記印刷制御装置で実行される表示制御ステップと、
前記メッセージに従い、前記入出力装置を介してユーザから操作入力された認証情報に基づき認証処理を行う、前記印刷制御装置で実行される認証ステップと、
前記認証ステップによって認証が完了したとき、前記印刷装置に前記印刷データに基づく印刷を実行させる、前記印刷制御装置で実行される印刷実行ステップと
を有することを特徴とする記憶媒体。
【手続補正２】
【補正対象書類名】明細書
【補正対象項目名】００１５
【補正方法】変更
【補正の内容】
【００１５】
上記第３の目的を達成するために、請求項９記載の発明によれば、ネットワークを介して互いに接続され、記憶装置を備えたホストコンピュータと、印刷装置及び入出力装置を備えた印刷制御装置とからなる印刷システムにおいて、前記ホストコンピュータに設けられ、印刷データ内に、アクセスするのに認証が必要な外部装置から入手したデータが含まれるとき、前記印刷データに認証情報を付加して前記印刷制御装置に送信する付加送信手段と、前記印刷制御装置に設けられ、前記ホストコンピュータから送信された印刷データに前記認証情報が付加されているか否かを判別する第１の判別手段と、前記印刷制御装置に設けられ、前記第１の判別手段によって、前記印刷データに前記認証情報が付加されていると判別されたとき、認証情報を入力するようにユーザに促すメッセージを前記入出力装置に出力表示させる表示制御手段と、前記印刷制御装置に設けられ、前記メッセージに従い、前記入出力装置を介してユーザから操作入力された認証情報に基づき認証処理を行う認証手段と、前記印刷制御装置に設けられ、前記認証手段によって認証が完了したとき、前記印刷装置に前記印刷データに基づく印刷を実行させる印刷実行手段とを有することを特徴とする印刷システムが提供される。
【手続補正３】
【補正対象書類名】明細書
【補正対象項目名】００１６
【補正方法】変更
【補正の内容】
【００１６】
また、請求項２２記載の発明によれば、ネットワークを介して互いに接続され、記憶装置を備えたホストコンピュータと、印刷装置及び入出力装置を備えた印刷制御装置とからなる印刷システムに適用される印刷制御方法において、印刷データ内に、アクセスするのに認証が必要な外部装置から入手したデータが含まれるとき、前記印刷データに認証情報を付加して前記印刷制御装置に送信する、前記ホストコンピュータで実行される付加送信ステップと、前記ホストコンピュータから送信された印刷データに前記認証情報が付加されているか否かを判別する、前記印刷制御装置で実行される第１の判別ステップと、前記第１の判別ステップによって、前記印刷データに前記認証情報が付加されていると判別されたとき、認証情報を入力するようにユーザに促すメッセージを前記入出力装置に出力表示させる、前記印刷制御装置で実行される表示制御ステップと、前記メッセージに従い、前記入出力装置を介してユーザから操作入力された認証情報に基づき認証処理を行う、前記印刷制御装置で実行される認証ステップと、前記認証ステップによって認証が完了したとき、前記印刷装置に前記印刷データに基づく印刷を実行させる、前記印刷制御装置で実行される印刷実行ステップとを有することを特徴とする印刷制御方法が提供される。
【手続補正４】
【補正対象書類名】明細書
【補正対象項目名】００１７
【補正方法】変更
【補正の内容】
【００１７】
また、請求項２８記載の発明によれば、ネットワークを介して互いに接続され、記憶装置を備えたホストコンピュータと、印刷装置及び入出力装置を備えた印刷制御装置とからなる印刷システムに適用される印刷制御方法を、コンピュータに実行させるためのプログラムにおいて、前記印刷制御方法が、印刷データ内に、アクセスするのに認証が必要な外部装置から入手したデータが含まれるとき、前記印刷データに認証情報を付加して前記印刷制御装置に送信する、前記ホストコンピュータで実行される付加送信ステップと、前記ホストコンピュータから送信された印刷データに前記認証情報が付加されているか否かを判別する、前記印刷制御装置で実行される第１の判別ステップと、前記第１の判別ステップによって、前記印刷データに前記認証情報が付加されていると判別されたとき、認証情報を入力するようにユーザに促すメッセージを前記入出力装置に出力表示させる、前記印刷制御装置で実行される表示制御ステップと、前記メッセージに従い、前記入出力装置を介してユーザから操作入力された認証情報に基づき認証処理を行う、前記印刷制御装置で実行される認証ステップと、前記認証ステップによって認証が完了したとき、前記印刷装置に前記印刷データに基づく印刷を実行させる、前記印刷制御装置で実行される印刷実行ステップとを有することを特徴とするプログラムが提供される。
【手続補正５】
【補正対象書類名】明細書
【補正対象項目名】００１８
【補正方法】変更
【補正の内容】
【００１８】
さらに、請求項３０記載の発明によれば、ネットワークを介して互いに接続され、記憶装置を備えたホストコンピュータと、印刷装置及び入出力装置を備えた印刷制御装置とからなる印刷システムに適用される印刷制御方法をプログラムとして記憶した、コンピュータにより読み出し可能な記憶媒体において、前記印刷制御方法が、印刷データ内に、アクセスするのに認証が必要な外部装置から入手したデータが含まれるとき、前記印刷データに認証情報を付加して前記印刷制御装置に送信する、前記ホストコンピュータで実行される付加送信ステップと、前記ホストコンピュータから送信された印刷データに前記認証情報が付加されているか否かを判別する、前記印刷制御装置で実行される第１の判別ステップと、前記第１の判別ステップによって、前記印刷データに前記認証情報が付加されていると判別されたとき、認証情報を入力するようにユーザに促すメッセージを前記入出力装置に出力表示させる、前記印刷制御装置で実行される表示制御ステップと、前記メッセージに従い、前記入出力装置を介してユーザから操作入力された認証情報に基づき認証処理を行う、前記印刷制御装置で実行される認証ステップと、前記認証ステップによって認証が完了したとき、前記印刷装置に前記印刷データに基づく印刷を実行させる、前記印刷制御装置で実行される印刷実行ステップとを有することを特徴とする記憶媒体が提供される。